(57)【要約】【課題】多層粘着包帯を提供する。【解決手段】本発明は、多層粘着包帯に関し、この多層粘着包帯は、少なくとも１つの第１の支持層２と、この第１の支持層２上に置かれた少なくとも１つの第１の粘着吸収層３と、実質的に親水コロイドを含まず、外傷領域を実質的に覆うための少なくとも１つの第１の不連続外傷接触構成要素４であって、外傷領域は、この第１の不連続外傷接触構成要素４を通じて第１の粘着吸収層３が実質的に接触する外傷表面を有する、第１の不連続外傷接触構成要素４と、を備える。【選択図】図５
2007296361.tif 000002
【特許請求の範囲】
【請求項１】
多層粘着包帯において、
少なくとも１つの第１の支持層（２）と、
前記第１の支持層（２）上に置かれた、少なくとも１つの第１の粘着吸収層（３）と、
外傷領域を実質的に覆うための少なくとも１つの第１の不連続外傷接触構成要素（４）であって、前記外傷領域は、前記第１の不連続外傷接触構成要素（４）を通じて前記第１の粘着吸収層（３）が実質的に接触する外傷表面を有する、第１の不連続外傷接触構成要素（４）と、
を備える、多層粘着包帯。
【請求項２】
請求項１に記載の外傷ケアのための多層粘着包帯において、
前記第１の不連続外傷接触構成要素（４）は、第１の粘着性の値を有する第１の外傷接触領域（１８）、および、第２の粘着性の値を有する、前記第１の不連続外傷接触構成要素（４）の外側に設けられた第２の皮膚接触領域（１９）を画定し、
前記第１の粘着性の値は、前記第２の粘着性の値より低く、
より好ましくは、前記第１の粘着性の値は、前記第２の粘着性の値より１０％低い、多層粘着包帯。
【請求項３】
請求項２に記載の外傷ケアのための多層粘着包帯において、
前記第１の不連続外傷接触構成要素（４）は、前記第１の不連続外傷接触構成要素（４）の総面積の約１０％〜約９０％の開口面積を有し、前記第１の粘着吸収層（３）が前記外傷表面と実質的に接触することを可能にする、多層粘着包帯。
【請求項４】
請求項３に記載の外傷ケアのための多層粘着包帯において、
前記第１の不連続外傷接触構成要素（４）は、前記第１の不連続外傷接触構成要素（４）の前記総面積の１０％〜７０％の開口面積を有し、前記第１の粘着吸収層（３）が前記外傷表面と実質的に接触することを可能にする、多層粘着包帯。
【請求項５】
請求項４に記載の外傷ケアのための多層粘着包帯において、
前記第１の不連続外傷接触構成要素（４）は、総面積、および前記第１の不連続外傷接触構成要素（４）の前記総面積の約２５％〜約６０％を実質的に含む開口面積を有し、前記第１の粘着吸収層（３）が前記外傷表面と実質的に接触することを可能にする、多層粘着包帯。
【請求項６】
請求項５に記載の外傷ケアのための多層粘着包帯において、
前記第１の不連続外傷接触構成要素（４）は、好ましくは前記第１の不連続外傷接触構成要素（４）の前記総面積の約３０％〜約４０％を含む開口面積を有し、前記第１の粘着吸収層（３）が前記外傷表面と実質的に接触することを可能にする、多層粘着包帯。
【請求項７】
請求項１に記載の外傷ケアのための多層粘着包帯において、
前記第１の粘着吸収層（３）の粘着力は、１９０℃より低い温度で約５００〜約５００，０００センチポアズの粘度を有する、多層粘着包帯。
【請求項８】
請求項７に記載の外傷ケアのための多層粘着包帯において、
前記第１の粘着吸収層（３）の前記粘着力は、１９０℃より低い温度で約１，０００〜約３０，０００センチポアズの粘度を有する、多層粘着包帯。
【請求項９】
請求項８に記載の外傷ケアのための多層粘着包帯において、
前記第１の粘着吸収層（３）の前記粘着力は、１９０℃より低い温度で約３，０００〜約１５，０００センチポアズの粘度を有する、多層粘着包帯。
【請求項１０】
請求項３に記載の外傷ケアのための多層粘着包帯において、
前記第１の不連続外傷接触構成要素（４）の前記開口面積は、複数の不連続物に起因する、多層粘着包帯。
【請求項１１】
請求項１０に記載の外傷ケアのための多層粘着包帯において、
前記不連続物は、小孔、裂け目、打ち抜き穴、隙間、溝、開口部、もしくはそれらと同種のもの、またはそれらを混ぜたものから成る群から選択される、多層粘着包帯。
【請求項１２】
請求項１１に記載の外傷ケアのための多層粘着包帯において、
前記第１の不連続外傷接触構成要素（４）の開口面積は、約０．００１〜約１０ｍｍ2の範囲の平均小孔面積を有する複数の小孔に起因する、多層粘着包帯。
【請求項１３】
請求項１２に記載の外傷ケアのための多層粘着包帯において、
前記第１の不連続外傷接触構成要素（４）の前記開口面積は、約０．０１〜約１ｍｍ2の範囲の平均小孔面積を有する複数の小孔に起因する、多層粘着包帯。
【請求項１４】
請求項１３に記載の外傷ケアのための多層粘着包帯において、
前記第１の不連続外傷接触構成要素（４）の前記開口面積は、約０．１〜約０．５ｍｍ2の範囲の平均小孔面積を有する複数の小孔に起因する、多層粘着包帯。
【請求項１５】
請求項２に記載の外傷ケアのための多層粘着包帯において、
前記第１の粘着性の値は、最大で１２Ｎ／ｃｍ2であり、
前記第２の粘着性の値は、最大で１５Ｎ／ｃｍ2である、多層粘着包帯。
【請求項１６】
請求項１５に記載の外傷ケアのための多層粘着包帯において、
前記第１の粘着性の値は、最大で８Ｎ／ｃｍ2であり、
前記第２の粘着性の値は、最大で１０Ｎ／ｃｍ2である、多層粘着包帯。
【請求項１７】
請求項１６に記載の外傷ケアのための多層粘着包帯において、
前記第１の粘着性の値は、最大で４Ｎ／ｃｍ2であり、
前記第２の粘着性の値は、最大で８Ｎ／ｃｍ2である、多層粘着包帯。
【請求項１８】
請求項２に記載の多層粘着包帯において、
前記第１の粘着性の値は、最大で１０Ｎ／ｃｍ2、好ましくは最大で６Ｎ／ｃｍ2、さらに好ましくは最大で１Ｎ／ｃｍ2である、多層粘着包帯。
【請求項１９】
請求項１に記載の外傷ケアのための多層粘着包帯において、
前記第１の粘着吸収層（３）は、第１の表面積を有し、
前記第１の不連続外傷接触構成要素（４）は、第２の表面積を有し、
前記第１の不連続外傷接触構成要素（４）の前記第２の表面積は、前記第１の粘着吸収層（３）の前記第１の表面積より約５％小さく、前記第１の粘着吸収層（３）の前記第１の表面積を部分的に露出する、多層粘着包帯。
【請求項２０】
請求項１９に記載の外傷ケアのための多層粘着包帯において、
前記第１の粘着吸収層（３）は、第１の表面積を有し、
前記第１の不連続外傷接触構成要素（４）は、第２の表面積を有し、
前記第１の不連続外傷接触構成要素（４）の前記第２の表面積は、好ましくは前記第１の粘着吸収層（３）の前記第１の表面積より１０％小さく、前記第１の粘着吸収層（３）の前記第１の表面積を部分的に露出する、多層粘着包帯。
【請求項２１】
請求項２０に記載の外傷ケアのための多層粘着包帯において、
前記第１の粘着吸収層（３）は、第１の表面積を有し、
前記第１の不連続外傷接触構成要素（４）は、第２の表面積を有し、
前記第１の不連続外傷接触構成要素（４）の前記第２の表面積は、好ましくは前記第１の粘着吸収層（３）の前記第１の表面積より少なくとも３０％小さく、前記第１の粘着吸収層（３）の前記第１の表面積を部分的に露出する、多層粘着包帯。
【請求項２２】
請求項２１に記載の外傷ケアのための多層粘着包帯において、
前記第１の粘着吸収層（３）は、第１の表面積を有し、
前記第１の不連続外傷接触構成要素（４）は、第２の表面積を有し、
前記第１の不連続外傷接触構成要素（４）の前記第２の表面積は、好ましくは前記第１の粘着吸収層（３）の前記第１の表面積より少なくとも５０％小さく、前記第１の粘着吸収層（３）の前記第１の表面積を部分的に露出する、多層粘着包帯。
【請求項２３】
請求項２２に記載の外傷ケアのための多層粘着包帯において、
前記第１の粘着吸収層（３）の前記第１の表面積の露出された第１の表面は、連続的である、多層粘着包帯。
【請求項２４】
請求項２３に記載の外傷ケアのための多層粘着包帯において、
前記第１の不連続外傷接触構成要素（４）は、前記外傷を囲む接触外面を有し、
前記第１の粘着吸収層（３）の連続的な前記露出された表面は、前記第１の不連続外傷接触構成要素（４）の前記外面の周囲に位置する、多層粘着包帯。
【請求項２５】
請求項１に記載の外傷ケアのための多層粘着包帯において、
前記第１の粘着吸収層（３）は、エラストマー基剤、吸収剤、粘着性樹脂、結合剤、可塑剤、およびオプションとしての色素剤から構成される、多層粘着包帯。
【請求項２６】
請求項２５に記載の外傷ケアのための多層粘着包帯において、
前記吸収剤は、親水コロイドを含む、多層粘着包帯。
【請求項２７】
請求項２６に記載の外傷ケアのための多層粘着包帯において、
前記親水コロイドは、グアーゴム、ペクチン、キサンタンガム、ゼラチン、カルボキシメチルセルロース、アルギン酸ナトリウム、アルギン酸カルシウム、多糖類、またはそれらの混合物から成る群から選択される、多層粘着包帯。
【請求項２８】
請求項２５に記載の外傷ケアのための多層粘着包帯において、
前記吸収剤は、高吸水性樹脂、好ましくはポリアクリレート高吸収性物質、ポリアクリレート塩高吸収性物質、またはそれらの混合物である、多層粘着包帯。
【請求項２９】
請求項１に記載の外傷ケアのための多層粘着包帯において、
前記第１の粘着吸収層（３）は、不連続である、多層粘着包帯。
【請求項３０】
請求項１に記載の外傷ケアのための多層粘着包帯において、
前記第１の支持層（２）は、フィルムである、多層粘着包帯。
【請求項３１】
請求項３０に記載の外傷ケアのための多層粘着包帯において、
前記第１の支持層（２）は、ポリオレフィン製のフィルムである、多層粘着包帯。
【請求項３２】
請求項３１に記載の外傷ケアのための多層粘着包帯において、
前記第１の支持層（２）は、ポリウレタンフィルムである、多層粘着包帯。
【請求項３３】
請求項１に記載の外傷ケアのための多層粘着包帯において、
前記第１の不連続構成要素（４）は、ネット、スクリーン、穴のあいたフィルム、不織布、織地、ワックスフィルム、パウダーフィルム、ワックスの点、ポリマー材料のスクリーン、ファイバーグリッドである、多層粘着包帯。
【請求項３４】
請求項３３に記載の外傷ケアのための多層粘着包帯において、
前記第１の不連続外傷接触構成要素（４）は、前記第１の粘着吸収層（３）に対して中心に集められるように配置される、多層粘着包帯。
【請求項３５】
請求項１に記載の外傷ケアのための多層粘着包帯において、
前記第１の不連続外傷接触構成要素（４）は、前記第１の粘着吸収層（３）の一体化部品である、多層粘着包帯。
【請求項３６】
請求項１に記載の外傷ケアのための多層粘着包帯において、
前記第１の不連続外傷接触構成要素（４）は、殺菌性物質、またはその他の有効成分に含浸されている、多層粘着包帯。
【請求項３７】
請求項１に記載の外傷ケアのための多層粘着包帯において、
前記多層粘着包帯は、除去されるときに前記外傷の再損傷を減少する、多層粘着包帯。
【請求項３８】
外傷ケアのための多層粘着包帯において、
少なくとも１つの第１の支持層（２）と、
前記第１の支持層（２）上に置かれた、少なくとも１つの第１の粘着吸収層（３）と、
実質的に親水コロイドを含まず、外傷領域を実質的に覆うための、少なくとも１つの第１の不連続外傷接触構成要素（４）であって、前記外傷領域は、前記第１の不連続外傷接触構成要素（４）を通じて前記第１の粘着吸収層（３）が実質的に接触する外傷表面を有する、第１の不連続外傷接触構成要素（４）と、
を備える、多層粘着包帯。
【請求項３９】
外傷ケアのための多層粘着包帯において、
少なくとも１つの第１の支持層（２）と、
前記第１の支持層（２）上に置かれた、少なくとも１つの第１の粘着吸収層（３）と、
実質的に親水コロイドを含まず、外傷領域を実質的に覆うための、少なくとも１つの第１の不連続外傷接触構成要素（４）であって、前記第１の粘着吸収層（３）の一体化部品である、第１の不連続外傷接触構成要素（４）と、
を備える、多層粘着包帯。
【発明の詳細な説明】
【開示の内容】
【０００１】
本発明は、特に皮膚に適用される粘着包帯に関し、詳細には、皮膚に適用された後、使用に高い柔軟性（great flexibility of use）を有するが、取り外した際、創傷にいかなる損傷も生じない粘着包帯に関する。本発明はさらに、この粘着包帯を製造するための工程に関する。
【０００２】
〔従来技術の説明〕
皮膚に使用することを目的とし、不潔物（dirt）による創傷または外傷から皮膚を保護し、局所的に塗布された薬剤の有効性を保証する粘着包帯は、本質的には、液体不透過性材料から作られ、また外傷の汚染をも防ぐ少なくとも１つのフィルムを含む。
【０００３】
伝統的には、粘着包帯を使用者の皮膚に固着させることができるように、少なくとも１つの吸収材料および少なくとも１つの粘着部分を含む少なくとも１つのパッドが、このフィルムに付随している。好ましくは、粘着性があることで、粘着包帯を除去するとき、または交換するときに、外傷において浸軟（maceration）を引き起こす可能性があるため、外傷と接触させようとする領域（パッド）が粘着性を持たないように、粘着要素は粘着包帯上に配置される。
【０００４】
外傷の治癒を促進し、皮膚呼吸を可能にするために、フィルムは気体に対して透過性があり、複数の貫通孔（through bores）をさらに含むことができる。
【０００５】
粘着包帯によりもたらされる有効性および快適さをいっそう増大させる目的で、この非常に有効な基本的概念における多数の改善点、例えば、使用する材料の改善（より柔軟な、より快適な、より安価な、または高い流体吸収力を備えた材料など）、あるいは粘着包帯の色彩における変形形態（透明な、着色された、子供のキャラクターがついた形態など）が作り出された。
【０００６】
第１のタイプの粘着包帯は、米国特許第５，４６５，７３７号（パテル（Patel））に開示され、かつ規定されており、本質的には、２つの層により構成され、その層の間には外傷の治癒工程で生じる体液を受け入れるために吸収要素が配置されている。
【０００７】
液体に対して透過性を有する第１の層は、使用者の皮膚上への粘着包帯の配置を可能にする一方、液体に対して不透過性であるが気体に対して透過性を有する第２の層は、体の浸出物が出ることに対するバリアとして作用し、さらに不潔物およびバクテリアなどの病原性物質が外傷に達するのを防ぐ。第１の層は、第１の層に貼り付けられた粘着要素をさらに有し、この粘着要素は、使用者の皮膚に粘着包帯を固着させることを可能にする。この吸収性粘着包帯（absorbent adhesive bandage）に使用される粘着物は、好ましくは親水コロイドを含むことができる。
【０００８】
吸収要素は、２つの端部層（two end layers）と比べると比較的小さな寸法を有し、その２つの層に対して中心に集まるように配置されるため、粘着包帯を皮膚に固着するための粘着物がしみ込んだ第１の層の十分な面積が残る。
【０００９】
吸収性粘着物は、いくつかの好ましい実施形態を有することができる。しかし、この吸収性粘着物は、本質的には少なくとも１つの低密度吸収要素から構成される少なくとも１つの部分、および少なくとも１つの高密度吸収要素から構成される１つの部分を含み、これらの部分は互いに隣接している。
【００１０】
別のタイプの粘着包帯は、米国特許第４，５６１，４３５号（マクナイト（Mcknight）他）に開示され、かつ規定されており、この粘着包帯は、吸収パッド、液体に対して不透過性を有し気体に対して透過性を有し、かつこのパッドの表面のうちの１つに配置されたフィルムを含み、このフィルムに隣接して、粘着フィルムまたは粘着織地の層が配置され、このフィルムは、パッドと結合した領域、特にパッドにより境界が画された中心領域に窓を有する。液体不透過性フィルムは、不潔物および病原性物質が外傷に達するのを防ぐ。
【００１１】
粘着包帯は、パッドの別の表面に配置された少なくとも１つの液体透過性抗粘着性フィルムをさらに含み、外傷からの体の浸出物がパッドに到達することを可能にし、それと同時にそのパッドが治癒している外傷にくっつくことを防ぐ。治癒している外傷にパッドがくっつくことは、粘着包帯の除去または交換時に非常に望ましくない。
【００１２】
第３のタイプの粘着包帯は、米国特許第５，６８１，５７９号（フリーマン（Freeman））に開示され、かつ規定されており、この粘着包帯は、親水コロイドポリマー合成物、または親水コロイドで覆われたポリマーから構成された主要層、および反対側の不透過層を有する。さらに、粘着物が、この主要層に与えられて使用者の皮膚への主要層の固着を可能にし、吸収層が、親水コロイドを備える透過層と、不透過層との間に設けられている。
【００１３】
最後に、第４のタイプの粘着包帯は、欧州特許第０６１７９３８号文献に規定され、かつ主張されており、この粘着包帯は、親水コロイドを含むポリマーから構成され、使用者の皮膚上に直接配置された支持層を含み、この支持層は、支持層上に配置された不透過層に加えて、支持層に張り付けられている粘着物のおかげで、不潔物および病原性物質の外傷との接触を防ぐ。
【００１４】
前述したすべての粘着包帯は、特定の構成が関与し、かつ使用する材料中にある限り、構造の変化を提供するにもかかわらず、共通の不都合点を有する。すなわち不透過層、吸収要素、および外傷に向かい合う透過層を有するという事実によりもたらされる大きな厚さ（big thickness）である。この大きな厚さは、特に体の関節のある部分（指、ひざ、手首など）に位置すると粘着包帯を急速に変形させ、ことによると粘着包帯が皮膚から離れるか、または不潔物を侵入させるかもしれない。したがって、剥離することによりパッドの吸収力が完全に使い果たされる前に粘着包帯の交換が必要になるので、粘着包帯の有効期間は減少する。
【００１５】
これらの欠点を排除する目的で、液体に対して不透過性で気体に対して透過性を有する単一のフィルムから構成され、この単一のフィルムには親水コロイドを含む粘着物の層が添加された粘着包帯が開発された。それによって、この粘着包帯は、非常に減少された厚さ、および非常に厚いパッドが設けられた粘着包帯の液体吸収力と同等ではないとしても、少なくとも、外傷の事例の大多数である小さな切り傷／創傷に使用するのに十分であった、液体吸収力を有した。
【００１６】
薄い厚さにより生じる柔軟性により、この粘着包帯は、外傷が体の関節部分に位置していても長い時間皮膚に付着した状態を維持したため、粘着包帯の交換は親水コロイドの吸収力が飽和状態になった後にのみ必要となった。そのため、皮膚の創傷が回復するまでに使用される粘着包帯の量は減少し、それにより使用者がこの製品にかける費用が減少する。
【００１７】
さらなる利点として、使用中に粘着包帯がほとんど気づかれないように、粘着包帯の存在をできるだけ隠すようにフィルムを構成するか、または粘着包帯を透明にすることが可能であった。
【００１８】
このタイプの粘着包帯の大きな不都合点は、外傷への強い粘着力であった。この粘着力により、交換のために粘着包帯を除去する際新たな創傷を生じた。これは、粘着包帯が親水コロイドを含む粘着物を備えた単一のフィルムから構成されたので、粘着包帯の外傷への粘着力の度合いを制御することが不可能なためであった。さらに、この粘着包帯は、外傷を少しも遮へいしなかった（つまり、外傷の存在／外見を隠す性能を少しも提供しなかった）が、これは使用者に対して不快感を生じる。
【００１９】
加えて、既に述べた利点をすべて有し、（創傷を防ぐための）保護的利用、または吸収製品（胸部保護もしくは生理用ナプキン）としてなど、外傷の手当てとして以外で利用することができる粘着包帯は、まだ開発されていない。
【００２０】
〔発明の目的〕
本発明は、皮膚の外傷に使用するための、および需要が高い部位（high-demand regions）で皮膚を保護するための、または吸収体としての粘着包帯であって、周囲の高い付着力、および中心領域での粘着性を制御する可能性という拮抗する特性を有する粘着包帯を提供する目的を有する。このような粘着包帯によって、使用者に快適な変化をもたらすための粘着包帯の定期的な交換、迅速な治癒、外傷を再び傷付けることがなく望ましくない変色がないこと、および可能な限りの自由裁量（as much discretion as possible）などの利点をもたらす。
【００２１】
また、本発明は、目的とされる粘着包帯を製造するための工程を提供する目的を有する。
【００２２】
〔発明の簡単な説明〕
本発明の目的は、多層粘着包帯（multilayer adhesive bandage）を用いて達成され、多層粘着包帯は、
少なくとも１つの第１の支持層と、
第１の支持層上に置かれた、少なくとも１つの第１の粘着吸収層と、
外傷領域（wound area）を実質的に覆うための少なくとも１つの第１の不連続外傷接触構成要素（first discontinuous wound-contact component）であって、この外傷領域は、第１の不連続外傷接触構成要素を通じて第１の粘着吸収層が実質的に接触する外傷表面を有する、第１の不連続外傷接触構成要素と、
を含む。
【００２３】
また、本発明の目的は、創傷を治癒するための多層粘着包帯を用いて達成され、この多層粘着包帯は、
少なくとも１つの第１の支持層と、
第１の支持層上に置かれた、少なくとも１つの第１の粘着吸収層と、
実質的に親水コロイドを含まず、外傷領域を実質的に覆うための少なくとも１つの第１の不連続外傷接触構成要素であって、この外傷領域は、第１の不連続外傷接触構成要素を通じて第１の粘着吸収層が実質的に接触する外傷表面を有する、第１の不連続外傷接触構成要素と、
を含む。
【００２４】
最後に、本発明の目的は、創傷を治癒するための多層粘着包帯を用いて達成され、この多層粘着包帯は、
少なくとも１つの第１の支持層と、
第１の支持層上に置かれた、少なくとも１つの第１の粘着吸収層と、
実質的に親水コロイドを含まず、外傷領域を実質的に覆うための少なくとも１つの第１の不連続外傷接触構成要素であって、第１の粘着吸収層と一体化した部品である、第１の不連続外傷接触構成要素と、
を含む。
【００２５】
本発明は、図面に表された実施形態を参照しながら、きわめて詳細に説明される。
【００２６】
〔発明の詳細な説明〕
図１〜図４は、既に知られている従来技術の粘着包帯を例示している。
【００２７】
図１および図２には、当技術分野で既知の第１の粘着包帯１００を見ることができ、これは、非常に厚い吸収パッド２０２が好ましくは接着剤（glue）によって取り付けられる主要な不透過性プラスチックフィルム２００を含む。線Ａ−Ａ、および線Ｂ−Ｂで切り取った断面図により、不透過性フィルム２００には、その全長にわたって粘着物（adhesive）２０１が含浸しているが、パッド２０２により占められる領域は除外されていることが分かる。これは、粘着包帯１００を皮膚から取り去るときに別の創傷を生じる心配があるので、パッド２０２は、いかなる方法でも外傷に付着してはならないためである。
【００２８】
この粘着包帯１００は、既知であり、非常に厚い吸収パッド２０２のために、外傷の治癒により生じる体の浸出物の吸収力が良好であるが、柔軟性が少なく、まさにこの理由のためにパッド２０２が液体生成物で飽和状態になるかなり前に結局皮膚から剥離し、こうして早期の交換が必要となる。したがって、このように構成され、パッドの浸出物の吸収力が実に高い粘着包帯１００を製造することは、経済的には興味を起こさせるものではないかもしれない。これは、粘着包帯が飽和状態になるかなり前に、使用するのに不適当になる可能性が非常に高いためである。
【００２９】
さらに、このタイプの包帯は、皮膚の防護物としての使用、さらに胸部の保護物としての使用、または生理用ナプキンとしての使用に効果的ではない。
【００３０】
第２のタイプの粘着包帯１０１も、図３および図４に既に開示されており、これは、液体に対して不透過性で気体に対して透過性の単一のフィルム２０３を含み、このフィルム２０３に親水コロイドを含有する粘着物２０４の層が添加される。結果として生じる粘着包帯は、図１および図２の粘着包帯１００に対して著しく減少された厚さ、および前者によって示された液体吸収力と等しくはないが、外傷の事例の大多数である小さな切り傷／創傷に使用するために、または例えばスポーツマンが使用するすね当ての場合に外傷に備えて保護物として使用するために依然として最善である液体吸収力を有する。
【００３１】
構成要素材料の特性およびその減少された厚さのため、粘着包帯１０１は、柔軟性が高く、それゆえ体の関節部分に配置されても皮膚に長時間付着したままである。このように、粘着包帯は親水コロイドが飽和状態になるまで使用を続けることができ、飽和状態になって初めて粘着包帯は取り替えられる。オプションとして、この粘着包帯１０１は、その存在をできるだけ隠すように構成される（皮膚と同じ色、不透明、半透明などの仕上がりを示す）。
【００３２】
この粘着包帯１０１の第１の変形物は、この場合存在するただ一つのものであるため単一構成要素（mono-component）と呼ばれる単一の粘着層および親水コロイド２０４を含む。このように、外傷の上に配置される領域を含む、全体の領域にわたって一様の、かつ著しい粘着力を示す粘着包帯を提供するが、これは再び創傷を生じる可能性があるので望ましくない。
【００３３】
粘着包帯１０１の第２の変形物は、粘着物および親水コロイド２０４の二重層を含み、このため二重層は、２つの構成要素（bi-component）と呼ばれる。それによって、多量の親水コロイドと少量の粘着物から構成される第１の層をフィルム領域２０３にわたって貼り付け、多様の粘着物を備える第２の層を外傷と接触する領域には貼り付けずに、第１の層に貼り付けることができる。このように、外傷にくっつくという欠点を有することなく、強い粘着力、および粘着層１０１の液体吸収力が確実となる。
【００３４】
明らかに、２つの構成要素の粘着層および親水コロイドを有する粘着包帯１０１の製造コストおよび販売コストは、単一構成要素の層を有する粘着包帯の製造コストおよび販売コストより著しく高く、これにより、市場への普及が大きく制限される。
【００３５】
しかしながら、その構成の変形にもかかわらず、このタイプの粘着包帯の大きな不都合点は、粘着包帯は親水コロイドが塗布される一つのフィルムのみを含むため、外傷への粘着力の度合いを制御することができないことである。
【００３６】
粘着力は、使用者の皮膚または任意のその他の表面に付着するための包帯表面（または付着性粘着物（adherent adhesives）を有する任意その他の製品）の固着力（sticking capacity）に対応する。
【００３７】
図５〜図８は、本発明の粘着包帯の２つの好ましい実施形態を例示している。より具体的には、第１の好ましい実施形態１は、図５および図６に示され、第２の好ましい実施形態１’は、図７および図８に示される。
【００３８】
好ましい実施形態に関係なく、粘着包帯１、１’は、少なくとも１つの第１の粘着吸収層３が取り付けられる、少なくとも１つの第１の支持層２を含む。
【００３９】
第１の支持層２は、必要に応じてさまざまな形状（長方形、円形、楕円形など）を有することができ、その形状は粘着包帯１によって示される形状である、すなわち粘着包帯１、１’の形状は、第１の支持層２によって画定される。このようにして、第１の支持層２の構造は変更することができるが、好ましくはポリオレフィン、ポリウレタンポリマー、ポリエチレン、ビニルポリエチレンアセテート（vinyl polyethylene acetate）、ポリウレタンフォームフィルムから作られ、さらに、織物、不織布、ゴムなどから作ることができる。
【００４０】
好ましくは、第１の支持層２は、１９０℃より低い温度で約５００〜５００，０００センチポアズの粘度を示し、より好ましくは、第１の支持層２は、１９０℃より低い温度で約１，０００〜３０，０００センチポアズの粘度を示し、さらに好ましくは第１の支持層２は、１９０℃より低い温度で約３，０００〜１５，０００センチポアズの粘度を示す。
【００４１】
さらに、好ましくは第１の支持層２は、液体に対して不透過性で気体に対して透過性であり、これにより粘着包帯１、１’が付着する外傷および皮膚は呼吸することができる。このため、ポリマーは、極端なサイズの分子である気体の通過だけを可能にするようなサイズの孔を有する。最後に、皮膚がより通気するために穴をあけられた層２を理解することができよう。代わりに、第１の支持層２は、必要であれば気体に対して完全に不透過性であってもよい。
【００４２】
第１の粘着吸収層３は、粘着物を含むため、使用者の皮膚に固着することができる。
【００４３】
第１の粘着吸収層３は、好ましくは別個の親水コロイドをさらに含むことができる。別個の要素により、参照して本明細書に組み込まれる米国特許第５，６４３，１８７号および米国特許第６，５５８，７９２号の文献に教示されるように、粘着媒体中の縮小されたサイズの異なる粒子が理解される。使用される親水コロイド要素は、この利用において良好な性能を有する任意の物質、中でも例えば、カルボキシメチルセルロースナトリウム、ペクチン、キサンタンガム、多糖類、アルギン酸ナトリウムまたはアルギン酸カルシウム、キトサン、海草抽出物（カラギーナン（cageenan））、ポリアスパラギン酸、ポリグルタミン酸、ヒアルロン酸、またはそれらの塩および誘導体であってよい。
【００４４】
中でもカルボキシメチルセルロースナトリウムおよびペクチンのような親水コロイドは、外傷からの体液と接触するとすぐにゲルを形成する物質である。粘着包帯に使用されると、これらの親水コロイドは、エラストマーおよび／または粘着物（後述する合成物）と化合する。好ましくは、粘着包帯１、１’は、飽和および瘢痕化のない湿潤環境を保証するべきであり、これは治癒を促進するのに適切な状況である。
【００４５】
ペクチンは、野菜種（vegetable species）（例えば、柑橘類の果物の皮またはりんごの果肉）から抽出される複雑な構造の多糖類で、高親水性の構造を有し、その結果、外傷からの体液の水分子と容易に結合し、創傷台（injury bed）に粘着性のあるゲルを形成する。ペクチンとアルギン酸塩との化学的類似性により、吸収およびゲル形成の物理的特性が互いに類似する。
【００４６】
次に、カルボキシメチルセルロースは、アルカリ（例えば、水酸化ナトリウム、水酸化カリウム、水酸化カルシウムなど）とのセルロースの反応により形成されたセルロースの誘導体である。カルボキシメチルセルロースのイオン特性を与えるのは、化合したアルカリ（combined alkali）の性質である（水酸化ナトリウムが使用されると、カルボキシメチルセルロースナトリウムが形成される）。ペクチンの場合と同様に、カルボキシメチルセルロースは、外傷から生じる液体からの水分中に急速に溶解し、制御された粘度のゲルを外傷上に形成する。
【００４７】
親水コロイドを使用するさらなる利点として、ペクチンおよびカルボキシメチルセルロースの双方が酸性の特性を備えるゲル（ｐＨは約４）を形成し、殺菌性物質として機能することに注目すべきである。
【００４８】
粘着包帯１、１’を使用する前に、親水コロイドは、水蒸気に対して実質的に不活性である。しかし、ゲル化の工程が開始するとまもなく、粘着包帯１、１’は次第に、より透過性になる。創傷が体液を滲出し続ければ、すべての親水コロイドを使い切るまでゲル化工程を継続し、親水コロイドをすべて使い切った時点で粘着包帯１、１’が飽和状態に達し、粘着包帯を取り替えなければならない。
【００４９】
同じように、使用される粘着要素は、任意のものであってよく、中でも例えば圧迫式アクリル性粘着物（pressure acrylic adhesives）であってよい。さらに、このような粘着物は、粘着力を増大するための樹脂、結合力増大物質（cohesion increasing agent）、吸収剤（好ましくはポリアクリレート高吸収性物質、ポリアクリレート塩高吸収性物質（polyacrylate salt superabsorbent）、またはその混合物）、可塑剤、およびオプションとして色素剤を含むことができる。第１の粘着吸収層３はさらに、エラストマー基剤により構成され、かつ線形、スクリーン状（screen）、しぶき状（spray）、または当業者が不連続と理解する任意その他の状態に配列された不連続パターンで構成されることができる。
【００５０】
第１の粘着吸収層３の上に、少なくとも１つの第１の不連続外傷接触構成要素４を配置する。この第１の不連続外傷接触構成要素４は、実質的に外傷領域を覆い、第１の粘着吸収層３が外傷表面と実質的に接触することを可能にする。
【００５１】
特に、第１の不連続外傷接触構成要素４は、開口部を有するスクリーンとして構成されており、粘着包帯の第１の好ましい実施形態１（図５、図６を参照）では、この構成要素４は、第１の粘着吸収層３上に実質的に中心に配置され、第１の粘着吸収層３の作用によって、正確にその場所に付着したままである。しかしながら、第１の不連続外傷接触構成要素４は、スクリーン以外のその他の形状、例えば穴のあいたフィルム、織地、不織布、穴のあいた不織布、ガーゼ（gaze）、ワックスフィルム、疎水性材料のフィルムまたはパウダーフィルム、粉末、ワックスの点（wax points）、ポリマー材料のスクリーン、ファイバーグリッドなどの形状をとることができることは明らかである。第１の不連続外傷接触構成要素４がどんな構造でも、それは連続的ではない、すなわち、前述したように、第１の粘着吸収層３が外傷表面と実質的に接触することを可能にする空の空間／開口部を有する。
【００５２】
例示すると、第１の不連続外傷接触構成要素４は、小孔、スロット、打ち抜き穴、隙間（cracks）、溝、開口部、穴など、またはそれらを混ぜたものから選択された不連続物を有する。
【００５３】
第１の不連続外傷接触構成要素４をさらに詳述すると、この構成要素４は、好ましくは不連続物の合計（または複数の不連続物）に関して約１０％〜９０％の開口面積（open area）を有し、より好ましくは約２５％〜６０％の開口面積を有し、さらに好ましくは約３０％〜４０％の開口面積を有することが分かる。さらに、約０．００１〜１０ｍｍ2の小孔領域、好ましくは０．１〜１ｍｍ2、さらに好ましくは、約０．１〜０．５ｍｍ2の小孔領域が理想的であると考えられる。
【００５４】
次に、粘着包帯の第２の好ましい実施形態１’（図７、図８を参照）は、第１の支持層２の一体化部品としてスクリーン４を有し、この構成は好ましいが、層２との共押し出し（joint extrusion）により、強制的に得るものではない。
【００５５】
第１の不連続外傷接触構成要素４を第１の支持層２上に配置すると、粘着包帯１の製造コストの低さが利点としてもたらされるが、対照的に、包帯の全体の厚さの増加がある。その一方で、第１の不連続外傷接触構成要素４を、第１の支持層２の一体化部品として使用すると、吸収力を変えることなく粘着包帯１’により大きな厚さをもたらすが、より高い製造コストを利点として有する。
【００５６】
しかしながら、粘着包帯１、１’の実施形態が何であっても、第１の不連続外傷接触構成要素４は、好ましくはポリマー材料から作られることに注目すべきである。しかし、この構成要素４を、ガーゼまたは任意その他の織物材料などの天然繊維材料から作る可能性は排除されず、粘着包帯１、１’の、より臨床的／作用上の効果を得るために、好ましくはこの構成要素４に殺菌性製品またはさまざまな有効成分（例えば治療薬）を含浸させる。外傷と直接接触したままであるのが第１の不連続外傷接触構成要素４であるため、この状況が発生し、これらの製品が作用することを可能にする。同じ理由で、ごくわずかな表面粘着力を有し、粘着包帯を除去し、かつ／または取り替える際に、創傷をそれ以上傷付けない（再び損傷しない）ために、この構成要素４は抗固着特性を有するべきである。
【００５７】
第１の不連続外傷接触構成要素４の存在は、この構成要素４により、好ましくは含浸した製品をさらに含む外傷上の粘着包帯１、１’の粘着性を管理することができるので、図３および図４に示される粘着包帯と比較して粘着包帯１、１’の大きな利点である。言い換えれば、この第１の不連続外傷接触構成要素４は、粘着吸収層３の粘着性を管理することができる。粘着包帯の粘着性または粘着力は、第１の不連続外傷接触構成要素４の開口部の量および／または面積および／または形状および／または配列ならびに／あるいは構成要素４の厚さにしたがって決定することができることにも注目すべきである。
【００５８】
より多数の開口部または大きな面積を備える開口部の存在に付随する、第１の不連続外傷接触構成要素４のより大きな開口面積は（より大きな外傷接触面積を意味するが）、粘着包帯を皮膚に付着させる。これは、第１の不連続外傷接触構成要素４の開口部の量および／または面積および／または形状および／または配列により、満たされるべき空の空間がより大きくなるためである。これらの開口部は、実際のチャネルとして役立ち、これにより親水コロイド含有粘着物が通過することができ、したがって包帯を皮膚または外傷に固定し、吸収性親水コロイド材料が外傷と密接に接触するのを助けることができる。皮膚または損傷した部位と接触するのは、第１の不連続外傷接触構成要素４であることにさらに注意すべきである。したがって、内部に存在する粘着物および親水コロイドの量が多ければ多いほど、対応する包帯の粘着性は大きくなる。
【００５９】
同じように、（スクリーン部分の減少ならびに／または開口部の面積および／もしくは量の減少による）外傷接触面積の対応する減少は、粘着包帯の皮膚への粘着力を低下させる。第１の不連続外傷接触構成要素４の開口部が全体の通過面積の減少をもたらすと、皮膚または外傷に接触する粘着物の量が少なくなり、よって皮膚または外傷への粘着包帯の粘着力が低下し、包帯の固定を極小化する。これによって包帯を取り替えるときに、皮膚に何らかの損傷を与えることなく、または瘢痕形成によって復元された組織を除去することなく、あまり攻撃的でない除去（less aggressive removal）が可能になる。
【００６０】
前述した特性によって、第１の不連続外傷接触構成要素４の面積、ならびにその開口部の量および面積を統御すると、最も変化に富む使用のための粘着包帯１、１’を製造することができる。
【００６１】
かかとまたはひじなどの要求が高い部分において皮膚への損傷を防ぐために、（創傷／打撲傷を防ぐために）創傷から保護するための、皮膚への高い粘着性を有する粘着包帯１、１’を製造することができる。このタイプの保護包帯は、例えばスポーツマンによる使用に非常に適している。
【００６２】
打撲傷／外傷の手当て用品として使用するための粘着包帯１、１’を製造することもできる。この包帯は、中心領域の低い粘着性と組み合わせられた、周囲領域における打撲傷への高い粘着性、および交換時における使用者の快適さと組み合わせられた治癒力を有する。
【００６３】
好ましくは、第１の不連続外傷接触構成要素４は、第１の粘着性を示す外傷接触領域１８を画定し、第１の不連続外傷接触構成要素４によって覆われていない第１の粘着層３は、第２の粘着性を示す皮膚接触領域１９を画定し、第１の粘着性は、第２の粘着性より１０％ほど低くなるようにする。
【００６４】
したがって、第１の粘着性の値は、好ましくは少なくとも３６Ｎ／ｃｍ2であり、第２の粘着性の値は、少なくとも４０Ｎ／ｃｍ2である。より好ましくは、第１の粘着性の値は、少なくとも２５Ｎ／ｃｍ2で、第２の粘着性の値は、少なくとも３６Ｎ／ｃｍ2である。さらに好ましくは、第１の粘着性の値は、好ましくは少なくとも１０Ｎ／ｃｍ2であり、第２の粘着性の値は、少なくとも２５Ｎ／ｃｍ2である。その他の好ましい第１の粘着性の値は、１２Ｎ／ｃｍ2、８Ｎ／ｃｍ2、および４Ｎ／ｃｍ2であり、第２の粘着性の値は、それぞれ１５Ｎ／ｃｍ2、１０Ｎ／ｃｍ2、８Ｎ／ｃｍ2である。
【００６５】
さらに好ましくは、その他の第１の粘着性の値は、最大で１０Ｎ／ｃｍ2、好ましくは６Ｎ／ｃｍ2、より好ましくは１Ｎ／ｃｍ2であることができる。
【００６６】
前記の例に加えて、第１の不連続外傷接触構成要素４の特性（総面積、量、配置、および開口部の面積）を操作して、流体の吸収力が関わっている限りその性能が適切になるようにするだけで、本発明の粘着包帯１、１’を胸部プロテクターとして、生理用ナプキンとしてさえ使用することができる。
【００６７】
所望の吸収を達成するために、この包帯を、さらに他の要素および層から構成される胸部プロテクターまたは吸収体の構成要素のうちの１つとすることも可能である。
【００６８】
したがって、固定された粘着物の量を考えると、第１の不連続外傷接触構成要素４が開口部の大きな合計面積を示している粘着包帯１、１’は、露出した粘着物の面積がその開口部の合計面積に等しいため、高い粘着性を示すが、対照的に、高い外傷遮へい性（すなわち、その存在／外見を隠す能力）を示す。それとは対照的に、第１の不連続外傷接触構成要素４が開口部の減少した合計面積を示す粘着包帯１，１’は、外傷への低い粘着性および低い遮へい性を示す。
【００６９】
換言すると、外傷に直接接触したままの要素である第１の不連続外傷接触構成要素４の特性を操作することによって外傷への粘着包帯の粘着性を管理することができる。
【００７０】
大量の液体を放出する外傷に粘着包帯を使用するためには、外傷が過剰に湿ることを防ぎ、したがって外傷と親水コロイド材料との間の近さを保証するために、大きな開口部面積を備えた第１の不連続外傷接触構成要素４を有する粘着包帯１，１’が好ましい。一方、外傷が少量の液体を放出する場合には、減少した開口部面積を備えた第１の不連続外傷接触構成要素４を備えた粘着包帯１，１’が好ましい。これは、この粘着包帯が、外傷の湿気を少なく維持し、よりゆっくりと飽和状態になるためである。
【００７１】
好ましくは、しかし制限的にではないが、第１の不連続外傷接触構成要素４は、粘着包帯１、１’に対して実質的に中心に集めるように配置され、外傷を囲む接触外面（contact periphery）を有する。さらに好ましくは、第１の不連続外傷接触構成要素４は、第１の表面積を有し、粘着包帯１、１’は、第２の表面積を有し、第１の表面積は、第２の表面積より少なくとも５％小さく、好ましくは１０％小さく、３０％小さく、さらに好ましくは５０％小さくなるようにする。この表面積の差により、第１の不連続外傷接触構成要素４は、外傷を囲む皮膚に対して第１の粘着吸収層３を露出することができ、包帯１、１’を使用者の皮膚に固定することができ、既に前述したように第１の不連続外傷接触構成要素４のために低下した、外傷に対する第１の粘着吸収層３の粘着性と比較すると、この皮膚の部分において高い粘着性を保証する。さらに、第１の粘着吸収層３の露出した面積は、外傷の周囲を完全に密封するために好ましくは連続的であり、したがっていかなる不潔物も入り込んで外傷を汚染しないことが保証される。
【００７２】
さらに、この粘着包帯１、１’を利用することに関して、注目すべきなのは、考慮すべき３つの概念があることである。すなわち、（ｉ）ＭＶＴＲ（湿った蒸気の伝導速度）、（ｉｉ）吸収作用、および（ｉｉｉ）「流体の取り扱い（fluid handling）」である。
【００７３】
（ｉ）のＭＶＴＲは、湿度および気温を制御された条件下で、外部空気への皮膚の接触表面からの水分子の通過に対する粘着包帯１，１’の透過性である。（ｉｉ）の吸収作用は、粘着包帯１、１’が吸収できる液体の量であり、最後に（ｉｉｉ）の「流体の取り扱い」は、粘着包帯の、より良好な利用を達成するために、粘着包帯が液体を分配する能力により得られる。
【００７４】
本発明の粘着包帯１、１’の既に言及した別の特性は、第１の支持層２、および第１の粘着吸収層３の双方、ならびに第１の不連続外傷接触構成要素４さえもが、必要に応じて、例えば、外傷または打撲傷を隠すために、あるいは任意その他の目的のために、色彩において変化を示すことができることである。
【００７５】
本発明の粘着包帯１、１’を製造する工程は、本質的に以下のステップ、すなわち、
ステップ（ｉ）：既に規定したように第１の支持層２を得るステップと、
ステップ（ｉｉ）：少なくとも１つの第１の粘着吸収層３を得るステップと、
ステップ（ｉｉｉ）：第１の粘着吸収層３の構成要素を第１の支持層２と結合させるステップと、
を含む。
【００７６】
明らかに、第１の支持層２および第１の粘着吸収層３は、現在利用できる任意の方法によって得ることができ、例えば層２を得るためには押し出し法が利用できる。同様に、親水コロイドまたは親水コロイドおよび粘着物の混合物を含む第１の粘着吸収層３の入手は、任意の既知の方法によって行うことができる。ステップ（ｉ）およびステップ（ｉｉ）は、前述した順番（最初にステップ（ｉ）、次にステップ（ｉｉ）を行う）で実行することができ、逆の順番で実行することができ、または同時に生じる事象であってもよいことに注意されたい。
【００７７】
代わりに、ステップ（ｉ）は、第１の支持層２および少なくとも１つの第１の不連続外傷接触構成要素４を同時に押し出す（共押し出し）ステップであって、第２の好ましい実施形態の粘着包帯１’の製造において生じる、ステップ、またはさらに別の必要な、もしくは望ましい手順を含む。
【００７８】
一方、第１の好ましい実施形態１の粘着包帯を製造する場合には、この工程は、第１の支持層２の少なくとも１つの第１の不連続外傷接触構成要素４を第１の粘着吸収層３上に、好ましくは実質的に中心に配置するステップ（ｖ）をさらに含む。
【００７９】
２つの好ましい実施形態を説明したが、本発明の範囲は、その他の可能な変形にも及び、添付の特許請求の内容によってのみ限定され、可能な等価物を含むことを理解されたい。
【００８０】
〔実施の態様〕
（１）  多層粘着包帯において、
少なくとも１つの第１の支持層（２）と、
前記第１の支持層（２）上に置かれた、少なくとも１つの第１の粘着吸収層（３）と、
外傷領域を実質的に覆うための少なくとも１つの第１の不連続外傷接触構成要素（４）であって、前記外傷領域は、前記第１の不連続外傷接触構成要素（４）を通じて前記第１の粘着吸収層（３）が実質的に接触する外傷表面を有する、第１の不連続外傷接触構成要素（４）と、
を備える、多層粘着包帯。
（２）  実施態様１に記載の外傷ケアのための多層粘着包帯において、
前記第１の不連続外傷接触構成要素（４）は、第１の粘着性の値を有する第１の外傷接触領域（１８）、および、第２の粘着性の値を有する、前記第１の不連続外傷接触構成要素（４）の外側に設けられた第２の皮膚接触領域（１９）を画定し、
前記第１の粘着性の値は、前記第２の粘着性の値より低く、
より好ましくは、前記第１の粘着性の値は、前記第２の粘着性の値より１０％低い、多層粘着包帯。
（３）  実施態様２に記載の外傷ケアのための多層粘着包帯において、
前記第１の不連続外傷接触構成要素（４）は、前記第１の不連続外傷接触構成要素（４）の総面積の約１０％〜約９０％の開口面積を有し、前記第１の粘着吸収層（３）が前記外傷表面と実質的に接触することを可能にする、多層粘着包帯。
（４）  実施態様３に記載の外傷ケアのための多層粘着包帯において、
前記第１の不連続外傷接触構成要素（４）は、前記第１の不連続外傷接触構成要素（４）の前記総面積の１０％〜７０％の開口面積を有し、前記第１の粘着吸収層（３）が前記外傷表面と実質的に接触することを可能にする、多層粘着包帯。
（５）  実施態様４に記載の外傷ケアのための多層粘着包帯において、
前記第１の不連続外傷接触構成要素（４）は、総面積、および前記第１の不連続外傷接触構成要素（４）の前記総面積の約２５％〜約６０％を実質的に含む開口面積を有し、前記第１の粘着吸収層（３）が前記外傷表面と実質的に接触することを可能にする、多層粘着包帯。
【００８１】
（６）  実施態様５に記載の外傷ケアのための多層粘着包帯において、
前記第１の不連続外傷接触構成要素（４）は、好ましくは前記第１の不連続外傷接触構成要素（４）の前記総面積の約３０％〜約４０％を含む開口面積を有し、前記第１の粘着吸収層（３）が前記外傷表面と実質的に接触することを可能にする、多層粘着包帯。
（７）  実施態様１に記載の外傷ケアのための多層粘着包帯において、
前記第１の粘着吸収層（３）の粘着力は、１９０℃より低い温度で約５００〜約５００，０００センチポアズの粘度を有する、多層粘着包帯。
（８）  実施態様７に記載の外傷ケアのための多層粘着包帯において、
前記第１の粘着吸収層（３）の前記粘着力は、１９０℃より低い温度で約１，０００〜約３０，０００センチポアズの粘度を有する、多層粘着包帯。
（９）  実施態様８に記載の外傷ケアのための多層粘着包帯において、
前記第１の粘着吸収層（３）の前記粘着力は、１９０℃より低い温度で約３，０００〜約１５，０００センチポアズの粘度を有する、多層粘着包帯。
（１０）  実施態様３に記載の外傷ケアのための多層粘着包帯において、
前記第１の不連続外傷接触構成要素（４）の前記開口面積は、複数の不連続物に起因する、多層粘着包帯。
【００８２】
（１１）  実施態様１０に記載の外傷ケアのための多層粘着包帯において、
前記不連続物は、小孔、裂け目、打ち抜き穴、隙間、溝、開口部、もしくはそれらと同種のもの、またはそれらを混ぜたものから成る群から選択される、多層粘着包帯。
（１２）  実施態様１１に記載の外傷ケアのための多層粘着包帯において、
前記第１の不連続外傷接触構成要素（４）の開口面積は、約０．００１〜約１０ｍｍ2の範囲の平均小孔面積を有する複数の小孔に起因する、多層粘着包帯。
（１３）  実施態様１２に記載の外傷ケアのための多層粘着包帯において、
前記第１の不連続外傷接触構成要素（４）の前記開口面積は、約０．０１〜約１ｍｍ2の範囲の平均小孔面積を有する複数の小孔に起因する、多層粘着包帯。
（１４）  実施態様１３に記載の外傷ケアのための多層粘着包帯において、
前記第１の不連続外傷接触構成要素（４）の前記開口面積は、約０．１〜約０．５ｍｍ2の範囲の平均小孔面積を有する複数の小孔に起因する、多層粘着包帯。
（１５）  実施態様２に記載の外傷ケアのための多層粘着包帯において、
前記第１の粘着性の値は、最大で１２Ｎ／ｃｍ2であり、
前記第２の粘着性の値は、最大で１５Ｎ／ｃｍ2である、多層粘着包帯。
【００８３】
（１６）  実施態様１５に記載の外傷ケアのための多層粘着包帯において、
前記第１の粘着性の値は、最大で８Ｎ／ｃｍ2であり、
前記第２の粘着性の値は、最大で１０Ｎ／ｃｍ2である、多層粘着包帯。
（１７）  実施態様１６に記載の外傷ケアのための多層粘着包帯において、
前記第１の粘着性の値は、最大で４Ｎ／ｃｍ2であり、
前記第２の粘着性の値は、最大で８Ｎ／ｃｍ2である、多層粘着包帯。
（１８）  実施態様２に記載の多層粘着包帯において、
前記第１の粘着性の値は、最大で１０Ｎ／ｃｍ2、好ましくは最大で６Ｎ／ｃｍ2、さらに好ましくは最大で１Ｎ／ｃｍ2である、多層粘着包帯。
（１９）  実施態様１に記載の外傷ケアのための多層粘着包帯において、
前記第１の粘着吸収層（３）は、第１の表面積を有し、
前記第１の不連続外傷接触構成要素（４）は、第２の表面積を有し、
前記第１の不連続外傷接触構成要素（４）の前記第２の表面積は、前記第１の粘着吸収層（３）の前記第１の表面積より約５％小さく、前記第１の粘着吸収層（３）の前記第１の表面積を部分的に露出する、多層粘着包帯。
（２０）  実施態様１９に記載の外傷ケアのための多層粘着包帯において、
前記第１の粘着吸収層（３）は、第１の表面積を有し、
前記第１の不連続外傷接触構成要素（４）は、第２の表面積を有し、
前記第１の不連続外傷接触構成要素（４）の前記第２の表面積は、好ましくは前記第１の粘着吸収層（３）の前記第１の表面積より１０％小さく、前記第１の粘着吸収層（３）の前記第１の表面積を部分的に露出する、多層粘着包帯。
【００８４】
（２１）  実施態様２０に記載の外傷ケアのための多層粘着包帯において、
前記第１の粘着吸収層（３）は、第１の表面積を有し、
前記第１の不連続外傷接触構成要素（４）は、第２の表面積を有し、
前記第１の不連続外傷接触構成要素（４）の前記第２の表面積は、好ましくは前記第１の粘着吸収層（３）の前記第１の表面積より少なくとも３０％小さく、前記第１の粘着吸収層（３）の前記第１の表面積を部分的に露出する、多層粘着包帯。
（２２）  実施態様２１に記載の外傷ケアのための多層粘着包帯において、
前記第１の粘着吸収層（３）は、第１の表面積を有し、
前記第１の不連続外傷接触構成要素（４）は、第２の表面積を有し、
前記第１の不連続外傷接触構成要素（４）の前記第２の表面積は、好ましくは前記第１の粘着吸収層（３）の前記第１の表面積より少なくとも５０％小さく、前記第１の粘着吸収層（３）の前記第１の表面積を部分的に露出する、多層粘着包帯。
（２３）  実施態様２２に記載の外傷ケアのための多層粘着包帯において、
前記第１の粘着吸収層（３）の前記第１の表面積の露出された第１の表面は、連続的である、多層粘着包帯。
（２４）  実施態様２３に記載の外傷ケアのための多層粘着包帯において、
前記第１の不連続外傷接触構成要素（４）は、前記外傷を囲む接触外面を有し、
前記第１の粘着吸収層（３）の連続的な前記露出された表面は、前記第１の不連続外傷接触構成要素（４）の前記外面の周囲に位置する、多層粘着包帯。
（２５）  実施態様１に記載の外傷ケアのための多層粘着包帯において、
前記第１の粘着吸収層（３）は、エラストマー基剤、吸収剤、粘着性樹脂、結合剤、可塑剤、およびオプションとしての色素剤から構成される、多層粘着包帯。
【００８５】
（２６）  実施態様２５に記載の外傷ケアのための多層粘着包帯において、
前記吸収剤は、親水コロイドを含む、多層粘着包帯。
（２７）  実施態様２６に記載の外傷ケアのための多層粘着包帯において、
前記親水コロイドは、グアーゴム、ペクチン、キサンタンガム、ゼラチン、カルボキシメチルセルロース、アルギン酸ナトリウム、アルギン酸カルシウム、多糖類、またはそれらの混合物から成る群から選択される、多層粘着包帯。
（２８）  実施態様２５に記載の外傷ケアのための多層粘着包帯において、
前記吸収剤は、高吸水性樹脂、好ましくはポリアクリレート高吸収性物質、ポリアクリレート塩高吸収性物質、またはそれらの混合物である、多層粘着包帯。
（２９）  実施態様１に記載の外傷ケアのための多層粘着包帯において、
前記第１の粘着吸収層（３）は、不連続である、多層粘着包帯。
（３０）  実施態様１に記載の外傷ケアのための多層粘着包帯において、
前記第１の支持層（２）は、フィルムである、多層粘着包帯。
【００８６】
（３１）  実施態様３０に記載の外傷ケアのための多層粘着包帯において、
前記第１の支持層（２）は、ポリオレフィン製のフィルムである、多層粘着包帯。
（３２）  実施態様３１に記載の外傷ケアのための多層粘着包帯において、
前記第１の支持層（２）は、ポリウレタンフィルムである、多層粘着包帯。
（３３）  実施態様１に記載の外傷ケアのための多層粘着包帯において、
前記第１の不連続構成要素（４）は、ネット、スクリーン（screen）、穴のあいたフィルム、不織布、織地、ワックスフィルム、パウダーフィルム、ワックスの点、ポリマー材料の網、ファイバーグリッドである、多層粘着包帯。
（３４）  実施態様３３に記載の外傷ケアのための多層粘着包帯において、
前記第１の不連続外傷接触構成要素（４）は、前記第１の粘着吸収層（３）に対して中心に集められるように配置される、多層粘着包帯。
（３５）  実施態様１に記載の外傷ケアのための多層粘着包帯において、
前記第１の不連続外傷接触構成要素（４）は、前記第１の粘着吸収層（３）の一体化部品である、多層粘着包帯。
（３６）  実施態様１に記載の外傷ケアのための多層粘着包帯において、
前記第１の不連続外傷接触構成要素（４）は、殺菌性物質、またはその他の有効成分に含浸されている、多層粘着包帯。
（３７）  実施態様１に記載の外傷ケアのための多層粘着包帯において、
前記多層粘着包帯は、除去されるときに前記外傷の再損傷を減少する、多層粘着包帯。
【００８７】
（３８）  外傷ケアのための多層粘着包帯において、
少なくとも１つの第１の支持層（２）と、
前記第１の支持層（２）上に置かれた、少なくとも１つの第１の粘着吸収層（３）と、
実質的に親水コロイドを含まず、外傷領域を実質的に覆うための、少なくとも１つの第１の不連続外傷接触構成要素（４）であって、前記外傷領域は、前記第１の不連続外傷接触構成要素（４）を通じて前記第１の粘着吸収層（３）が実質的に接触する外傷表面を有する、第１の不連続外傷接触構成要素（４）と、
を備える、多層粘着包帯。
（３９）  外傷ケアのための多層粘着包帯において、
少なくとも１つの第１の支持層（２）と、
前記第１の支持層（２）上に置かれた、少なくとも１つの第１の粘着吸収層（３）と、
実質的に親水コロイドを含まず、外傷領域を実質的に覆うための、少なくとも１つの第１の不連続外傷接触構成要素（４）であって、前記第１の粘着吸収層（３）の一体化部品である、第１の不連続外傷接触構成要素（４）と、
を備える、多層粘着包帯。
【図面の簡単な説明】
【００８８】
【図１】従来技術の第１の粘着包帯の概略的な斜視図である。
【図２】図１に示された粘着包帯の２つの概略的な断面図に相当する。
【図３】従来技術の第２の粘着包帯の概略的な斜視図である。
【図４】図３に示された粘着包帯の概略的な断面図に相当する。
【図５】本発明の粘着包帯の第１の好ましい実施形態の概略的な斜視図である。
【図６】図５に示された粘着包帯の概略的な断面図に相当する。
【図７】本発明の粘着包帯の第２の好ましい実施形態の概略的な斜視図である。
【図８】図７に示された粘着包帯の概略的な断面図に相当する。
【図１】
2007296361.tif 000003
【図２】
2007296361.tif 000004
【図３】
2007296361.tif 000005
【図４】
2007296361.tif 000006
【図５】
2007296361.tif 000007
【図６】
2007296361.tif 000008
【図７】
2007296361.tif 000009
【図８】
2007296361.tif 000010
【外国語明細書】
2007296361000001.pdf